(57)【特許請求の範囲】
【請求項１】
電球や蛍光灯等の照明器具を覆う照明器具用カバーにおいて、底壁を有し且つ一端側の径が他端側の径に比して大きな円錐台形状のカバー構成部材を複数個組み合わせて構成され、前記カバー構成部材を、一端側を外向きに配列し、互いに隣接する前記カバー構成部材を、周壁を介して連結することにより、内側に照明器具を収容する収容部を形成すると共に、前記各カバー構成部材間の周壁によって区画されるすきま部分を形成したことを特徴とする照明器具用カバー。
【請求項２】
前記カバー構成部材が、凾体又は柱体であることを特徴とする請求項１に記載の照明器具用カバー。
【請求項３】
前記カバー構成部材が、凾体及び柱体の組み合わせであることを特徴とする請求項１に記載の照明器具用カバー。
【請求項４】
電球や蛍光灯等の照明器具を覆う照明器具用カバーにおいて、底壁を有し且つ一端側の径が他端側の径に比して大きな円錐台形状のカバー構成部材と、底壁を有する円柱形状のカバー構成部材とを複数個組み合わせて構成され、前記円錐台形状のカバー構成部材を、一端側を外向きに配列し、互いに隣接する前記カバー構成部材を、周壁を介して連結することにより、内側に照明器具を収容する収容部を形成すると共に、前記各カバー構成部材間の周壁によって区画されるすきま部分を形成したことを特徴とする照明器具用カバー。
【請求項５】
前記カバー構成部材が、凾体又は柱体であることを特徴とする請求項４に記載の照明器具用カバー。
【請求項６】
前記カバー構成部材が、凾体及び柱体の組み合わせであることを特徴とする請求項４に記載の照明器具用カバー。
【発明の詳細な説明】
【０００１】
【発明の属する技術分野】
この発明は、照明器具を覆うカバーや笠に関するものであって、点灯時及び消灯時の終日において、興趣性及びファッション性に優れた照明器具用カバーに関するものである。
【０００２】
【従来の技術】
電球や蛍光灯あるいは白熱灯等の照明器具は、天井吊り下げ式、天井じか付け式あるいは電気スタンド式等のタイプがあり、また、前記照明器具は、一般的に、プラスチックや和紙等のカバーや笠で覆われており、前記カバーや笠は、通常、無模様あるいはせいぜい単一色彩により構成される程度であり、前記照明器具の点灯時及び消灯時の終日において、興趣性に乏しく、またファッション性の点においても十分満足し得るものでない。
【０００３】
【発明が解決しようとする課題】
上記するように、照明器具に用いるカバーや笠は、通常、無模様あるいは単一色彩で構成されており、点灯時及び消灯時の終日において、利用者の興趣性及びファッション性を満足させることができないものであった。そこで、この発明は、点灯時及び消灯時において、パーティー会場や部屋の雰囲気あるいは利用者の気分や状況に合わすことができ、また、興趣性及びファッション性においても優れた照明器具用カバーを提供しようとするものである。
【０００４】
【課題を解決するための手段】
この発明は、上記の目的を達成するものであり、具体的には、電球や蛍光灯等の照明器具を覆う照明器具用カバーであって、前記照明器具用カバーが、軸方向一端の径寸法φ１  、他端の径寸法φ２  （φ１  ＞φ２  ）を有する円錐台形状のカバー構成部材の組み合わせにより構成され、前記カバー構成部材を、前記径寸法φ１  側を外向きに同一方向に向けて配列し、互いに隣接する前記カバー構成部材間を互いに接触する母線の少なくとも一部分において連結し、前記カバー構成部材の集合体によって、内側に前記照明器具を収容する照明器具収容部を形成してなる照明器具用カバーを構成するものである。
【０００５】
さらに、この発明は、前記円錐台形状のカバー構成部材が、筒体、凾体あるいは柱体のいずれかである照明器具用カバーを構成するものである。
【０００６】
さらに、この発明は、前記照明器具用カバーが、筒体、凾体あるいは柱体の少なくとも１種類の前記円錐台形状のカバー構成部材の組み合わせにより構成されている照明器具用カバーを構成するものである。
【０００７】
さらに、この発明は、電球や蛍光灯等の照明器具を覆う照明器具用カバーであって、前記照明器具用カバーが、軸方向一端の径寸法φ１  、他端の径寸法φ２  （φ１  ＞φ２  ）を有する円錐台形状のカバー構成部材と、円柱形状のカバー構成部材との組み合わせにより構成され、前記円錐台形状のカバー構成部材を、前記径寸法φ１  側を外向きに同一方向に向けて配列し、互いに隣接する前記カバー構成部材間を互いに接触する母線の少なくとも一部分において連結し、前記カバー構成部材の集合体によって、内側に前記照明器具を収容する照明器具収容部を形成してなる照明器具用カバーを構成するものである。
【０００８】
さらに、この発明は、前記円錐台形状のカバー構成部材が、筒体、凾体あるいは柱体のいずれかであり、前記円柱形状のカバー構成部材が、筒体、凾体あるいは柱体のいずれかである照明器具用カバーを構成するものである。
【０００９】
さらに、この発明は、前記照明器具用カバーが、筒体、凾体あるいは柱体の少なくとも１種類の前記円錐台形状のカバー構成部材の組み合わせと、筒体、凾体あるいは柱体の少なくとも１種類の前記円柱形状のカバー構成部材の組み合わせとにより構成されている照明器具用カバーを構成するものである。
【００１０】
さらに、この発明は、電球や蛍光灯等の照明器具を覆う照明器具用カバーであって、前記照明器具用カバーが、多角錐台形状のカバー構成部材の組み合わせにより構成され、前記カバー構成部材を、前記多角錐台形状のカバー構成部材の底面側を外向きに同一方向に向けて配列し、互いに隣接する前記カバー構成部材間を互いに接触する側面の少なくとも一部分において連結し、前記カバー構成部材の集合体によって、内側に前記照明器具を収容する照明器具収容部を形成してなる照明器具用カバーを構成するものである。
【００１１】
さらに、この発明は、前記多角錐台形状のカバー構成部材が、筒体、凾体あるいは柱体のいずれかである照明器具用カバーを構成するものである。
【００１２】
さらに、この発明は、前記照明器具用カバーが、筒体、凾体あるいは柱体の少なくとも１種類の前記多角錐台形状のカバー構成部材の組み合わせにより構成されている照明器具用カバーを構成するものである。
【００１３】
【発明の実施の形態】
以下、この発明になる照明器具用カバーについて、図面に示す具体的な実施例に基づいて詳細に説明する。
図１は、この発明における筒体からなる円錐台形状のカバー構成部材について、その具体的な実施例を示すものであり、図１Ａは、カバー構成部材の概略的な斜視図であり、図１Ｂは、図１Ａにおけるカバー構成部材のＸ１−Ｘ１線に沿った概略的な断面図である。
【００１４】
図２は、この発明における凾体からなる円錐台形状のカバー構成部材について、その具体的な実施例を示すものであり、図２Ａは、カバー構成部材の概略的な斜視図であり、図２Ｂは、図２Ａにおけるカバー構成部材のＸ１−Ｘ１線に沿った概略的な断面図である。
【００１５】
図３は、この発明における柱体からなる円錐台形状のカバー構成部材について、その具体的な実施例を示すものであり、図３Ａは、カバー構成部材の概略的な斜視図であり、図３Ｂは、図３Ａにおけるカバー構成部材のＸ１−Ｘ１線に沿った概略的な断面図である。
【００１６】
図４は、この発明における筒体からなる円柱形状のカバー構成部材について、その具体的な実施例を示すものであり、図４Ａは、カバー構成部材の概略的な斜視図であり、図４Ｂは、図４Ａにおけるカバー構成部材のＸ２−Ｘ２線に沿った概略的な断面図である。
【００１７】
図５は、この発明における凾体からなる円柱形状のカバー構成部材について、その具体的な実施例を示すものであり、図５Ａは、カバー構成部材の概略的な斜視図であり、図５Ｂは、図５Ａにおけるカバー構成部材のＸ２−Ｘ２線に沿った概略的な断面図である。
【００１８】
図６は、この発明における柱体からなる円柱形状のカバー構成部材について、その具体的な実施例を示すものであり、図６Ａは、カバー構成部材の概略的な斜視図であり、図６Ｂは、図６Ａにおけるカバー構成部材のＸ２−Ｘ２線に沿った概略的な断面図である。
【００１９】
図７は、この発明における照明器具用カバーについて、筒体及び凾体からなる円錐台形状のカバー構成部材の集合体によって、天井吊り下げ式の照明器具に用いた状態による第１の具体的実施例を示すものであり、図７Ａは、前記照明器具用カバーの概略的な正面図であり、図７Ｂは、図７Ａにおける前記照明器具用カバーのＸ３−Ｘ３線に沿った概略的な断面図である。
【００２０】
図８は、この発明における筒体からなる六角錐台形状のカバー構成部材について、その具体的な実施例を示すものであり、図８Ａは、カバー構成部材の概略的な斜視図であり、図８Ｂは、図８Ａにおけるカバー構成部材のＹ１−Ｙ１線に沿った概略的な断面図である。
【００２１】
図９は、この発明における凾体からなる六角錐台形状のカバー構成部材について、その具体的な実施例を示すものであり、図９Ａは、カバー構成部材の概略的な斜視図であり、図９Ｂは、図９Ａにおけるカバー構成部材のＹ１−Ｙ１線に沿った概略的な断面図である。
【００２２】
図１０は、この発明における柱体からなる五角錐台形状のカバー構成部材について、その具体的な実施例を示すものであり、図１０Ａは、カバー構成部材の概略的な斜視図であり、図１０Ｂは、図１０Ａにおけるカバー構成部材のＹ１−Ｙ１線に沿った概略的な断面図である。
【００２３】
図１１は、この発明における照明器具用カバーについて、柱体からなる多角錐台形状のカバー構成部材の集合体によって、電気スタンド式の照明器具に用いた状態による第２の具体的実施例を示すものであり、図１１Ａは、前記照明器具用カバーの概略的な正面図であり、図１１Ｂは、図１１Ａにおける前記照明器具用カバーのＹ２−Ｙ２線に沿った概略的な断面図である。
【００２４】
筒体からなる円錐台形状のカバー構成部材Ｐ１は、図１に示すように、軸方向一端の径寸法φ１  、他端の径寸法φ２  （φ１  ＞φ２  ）、及び軸方向の長さ寸法Ｌを有する円錐台形状の周壁ＵＳにより構成されている。前記カバー構成部材Ｐ１は、例えば、和紙、合成紙あるいはプラスチックシート等の素材によって構成されており、前記素材は、透明、半透明あるいは不透明のいずれであってもよく、任意の色彩が施されたものでもよい。
【００２５】
凾体からなる円錐台形状のカバー構成部材Ｃ１は、図２に示すように、軸方向一端の径寸法φ１  、他端の径寸法φ２  （φ１  ＞φ２  ）、及び軸方向の長さ寸法Ｌを有する円錐台形状の周壁ＵＳと、前記径寸法φ２  側に設けた底壁ＢＳにより構成されている。尚、前記底壁ＢＳは、前記径寸法φ１  側に設けてもよい。前記カバー構成部材Ｃ１は、例えば、和紙、合成紙あるいはプラスチックシート等の素材によって構成されており、前記素材は、透明、半透明あるいは不透明のいずれであってもよく、任意の色彩が施されたものでもよい。
【００２６】
柱体からなる円錐台形状のカバー構成部材Ｈ１は、図３に示すように、軸方向一端の径寸法φ１  、他端の径寸法φ２  （φ１  ＞φ２  ）、及び軸方向の長さ寸法Ｌを有する円錐台形状により構成されている。前記カバー構成部材Ｈ１は、例えば、プラスチック等によって構成されており、前記素材は、透明、半透明あるいは不透明のいずれであってもよく、任意の色彩が施されたものでもよい。
【００２７】
筒体からなる円柱形状のカバー構成部材Ｐ２は、図４に示すように、径寸法φ３  、及び軸方向の長さ寸法Ｌを有する円錐台形状の周壁ＵＳにより構成されている。前記カバー構成部材Ｐ２は、例えば、和紙、合成紙あるいはプラスチックシート等の素材によって構成されており、前記素材は、透明、半透明あるいは不透明のいずれであってもよく、任意の色彩が施されたものでもよい。
【００２８】
凾体からなる円柱形状のカバー構成部材Ｃ２は、図５に示すように、径寸法φ３  、及び軸方向の長さ寸法Ｌを有する円錐台形状の周壁ＵＳと、軸方向一端の径側に設けた底壁ＢＳにより構成されている。前記カバー構成部材Ｃ２は、例えば、和紙、合成紙あるいはプラスチックシート等の素材によって構成されており、前記素材は、透明、半透明あるいは不透明のいずれであってもよく、任意の色彩が施されたものでもよい。
【００２９】
柱体からなる円柱形状のカバー構成部材Ｈ２は、図６に示すように、径寸法φ３  、及び軸方向の長さ寸法Ｌを有する円柱形状により構成されている。前記カバー構成部材Ｈ２は、例えば、プラスチック等によって構成されており、前記素材は、透明、半透明あるいは不透明のいずれであってもよく、任意の色彩が施されたものでもよい。
【００３０】
第１の具体的実施例による前記照明器具用カバーＬ１について、図７に基づいて説明する。前記照明器具用カバーＬ１は、複数の前記筒体及び凾体からなる円錐台形状のカバー構成部材Ｐ１、Ｃ１の組み合わせにより構成されており、また、前記照明器具用カバーＬ１の外形状は、球体形状からなっている。複数の前記カバー構成部材Ｐ１、Ｃ１を、前記径寸法φ１  側を外向きに同一方向に向けて配列し、互いに隣接する前記カバー構成部材Ｐ１、Ｃ１間を互いに接触する母線ＭＬの少なくとも一部を、例えば、接着剤あるいはホッチキス等により連結することにより球体形状からなる前記照明器具用カバーＬ１を形成し、前記連結されたカバー構成部材Ｐ１、Ｃ１における前記径寸法φ１  側が、前記照明器具用カバーＬ１の外側曲面を構成し、前記連結されたカバー構成部材Ｐ１、Ｃ１における前記径寸法φ２  側が、天井吊り下げ式の照明器具ＬＡを収容する照明器具収容部１を構成する。
【００３１】
また、前記照明器具用カバーＬ１は、仮想線Ｂ１を境に、上半球１１と、下半球２１とにより構成されており、また、前記上半球１１と、前記下半球２１とを構成する前記連結されたカバー構成部材Ｐ１、Ｃ１は、前記仮想線Ｂ１側の一部に、着脱可能な連結手段ＲＳ、例えば、ねじ等が設けられている。また、前記上半球１１は、前記連結されたカバー構成部材Ｐ１、Ｃ１と、前記照明器具ＬＡとにより構成されている。前記連結手段ＲＳを連結した状態において、照明器具ＬＡを覆う前記照明器具用カバーＬ１を形成してなり、前記連結手段ＲＳを解除した状態において、前記上半球部分１１と、前記下半球２１とを分割し、前記照明器具ＬＡを新しいものと取り換えることが可能である。前記照明器具用カバーＬ１における前記上半球１１と、前記下半球２１との連結部は、図７に示す前記仮想線Ｂ１に代えて仮想線Ｂ２の部位に設けたものであってもよい。
【００３２】
前記照明器具用カバーＬ１は、前記円錐台形状のカバー構成部材Ｐ１、Ｃ１を、互いに隣接する相互間を前記母線ＭＬに沿って接触させて連結した構造からなっているため、図７に示すように、３つの円弧のされぞれ３分の１円弧によって区画されるすきま部分ＳＫを有している。前記すきま部分ＳＫは、前記照明器具ＬＡの点灯時において、内部光源をそのまま通過させるものであり、前記円錐台形状のカバー構成部材Ｐ１、Ｃ１とによって形成される影模様との間に少なくともしっかりとした光模様を形成する。
【００３３】
さらにまた、図面に示されない具体的実施例として、前記照明器具用カバーＬ１は、図１〜図６に示す、任意の寸法からなる筒体、凾体、あるいは柱体の円錐台形状、あるいは円柱形状のカバー構成部材Ｐ１、Ｃ１、Ｈ１、Ｐ２、Ｃ２、Ｈ２を、適宜に組み合わせて構成されることにより、天井吊り下げ式の照明器具に限らず、天井じか付け式あるいは電気スタンド式等の照明器具に用いることができ、また、外形状も球体形状に限らず、半球体形状、円盤形状あるいは半円盤形状等の形状により形成することもできる。また、半透明あるいは不透明からなる任意の色彩の前記カバー構成部材Ｐ１、Ｃ１、Ｈ１、Ｐ２、Ｃ２、Ｈ２により構成される前記照明器具用カバーＬ１は、前記照明器具ＬＡの消灯時において、ファッション性に優れたさまざまな色彩の前記照明器具用カバーＬ１を形成することができ、また、前記照明器具ＬＡの点灯時においても、影やさまざまな色彩によりファッション性に優れた光模様を形成することができる。
【００３４】
さらにまた、不透明からなる色彩の前記カバー構成部材Ｐ１、Ｃ１、Ｈ１、Ｐ２、Ｃ２、Ｈ２により構成される前記照明器具用カバーＬ１にあたって、球体形状を構成する前記カバー構成部材のうち、その一つを前記カバー構成部材Ｐ１あるいはＰ２により構成することによって、スポットライト的な照明器具を形成することができる。
【００３５】
筒体からなる六角錐台形状のカバー構成部材Ｐ３は、図８に示すように、軸方向一端の面からなる底面Ａ１  、他端の面からなる上面Ａ２  及び軸方向の長さ寸法Ｌを有する六角錐台形状の周壁ＵＳにより構成されている。前記カバー構成部材Ｐ３は、例えば、和紙、合成紙あるいはプラスチックシート等の素材によって構成されており、前記素材は、透明、半透明あるいは不透明のいずれであってもよく、任意の色彩が施されたものでもよい。
【００３６】
凾体からなる六角錐台形状のカバー構成部材Ｃ３は、図９に示すように、軸方向一端の面からなる底面Ａ１  、他端の面からなる上面Ａ２  及び軸方向の長さ寸法Ｌを有する六角錐台形状の周壁ＵＳと、前記上面Ａ２  側に設けた底壁ＢＳにより構成されている。尚、前記底壁ＢＳは、前記底面Ａ１  側に設けてもよい。前記カバー構成部材Ｃ３は、例えば、和紙、合成紙あるいはプラスチックシート等の素材によって構成されており、前記素材は、透明、半透明あるいは不透明のいずれであってもよく、任意の色彩が施されたものでもよい。
【００３７】
柱体からなる五角錐台形状のカバー構成部材Ｈ３は、図１０に示すように、軸方向一端の面からなる底面Ａ１  、他端の面からなる上面Ａ２  及び軸方向の長さ寸法Ｌを有する五角錐台形状により構成されている。前記カバー構成部材Ｈ３は、例えば、プラスチック等によって構成されており、前記素材は、透明、半透明あるいは不透明のいずれであってもよく、任意の色彩が施されたものでもよい。
【００３８】
第２の具体的実施例による前記照明器具用カバーＬ２について、図１１に基づいて説明する。前記照明器具用カバーＬ２は、複数の前記筒体からなる六角形状錐台形状のカバー構成部材Ｐ３及び黒色に着色された複数の柱体からなる五角錐台形状のカバー構成部材Ｈ３の組み合わせにより構成されており、また、前記照明器具用カバーＬ２の外形状は、サッカーボールをイメージした球体形状からなっている。複数の前記カバー構成部材Ｐ３、Ｈ３を、前記カバー構成部材Ｐ３、Ｈ３の底面Ａ１  側を外向きに同一方向に向けて配列し、互いに隣接する前記カバー構成部材Ｐ３、Ｈ３間を互いに接触する側面ＳＬの少なくとも一部を、例えば、接着剤あるいはホッチキス等により連結することにより球体形状からなる前記照明器具用カバーＬ２を形成し、前記連結されたカバー構成部材Ｐ３、Ｈ３における前記底面Ａ１  側が、前記照明器具用カバーＬ１の外側曲面を構成し、前記連結されたカバー構成部材Ｐ３、Ｈ３における前記上面Ａ２  側が、電気スタンド式の照明器具ＬＡを収容する照明器具収容部２を構成する。
【００３９】
また、前記照明器具用カバーＬ２は、仮想線Ｂ３を境に、上半球１２と、下半球２２とにより構成されており、また、前記上半球１２と、前記下半球２２とを構成する前記連結されたカバー構成部材Ｐ３、Ｈ３は、前記仮想線Ｂ３側の一部に、着脱可能な連結手段ＲＳ、例えば、ねじ等が設けられている。また、前記下半球２２は、前記連結されたカバー構成部材Ｐ３、Ｈ３と、前記照明器具ＬＡとにより構成されている。前記連結手段ＲＳを連結した状態において、照明器具ＬＡを覆う前記照明器具用カバーＬ２を形成してなり、前記連結手段ＲＳを解除した状態において、前記上半球部分１２と、前記下半球２２とを分割し、前記照明器具ＬＡを新しいものと取り換えることが可能である。
【００４０】
さらにまた、図面に示されない具体的実施例として、前記照明器具用カバーＬ２は、図８〜図１０に限らず、任意の寸法からなる筒体、凾体、あるいは柱体の多角錐台形状Ｐ３、Ｃ３、Ｈ３を、適宜に組み合わせて構成されることにより、電気スタンド式の照明器具に限らず、天井吊り下げ式あるいは天井じか付け式等の照明器具に用いることができ、また、外形状も球体形状に限らず、半球体形状、円盤形状あるいは半円盤形状等の形状により形成することもできる。また、半透明あるいは不透明からなる任意の色彩の前記カバー構成部材Ｐ３、Ｃ３、Ｈ３により構成される前記照明器具用カバーＬ２は、前記照明器具ＬＡの消灯時において、ファッション性に優れたさまざまな色彩の前記照明器具用カバーＬ２を形成することができ、また、前記照明器具ＬＡの点灯時においても、影やさまざまな色彩によりファッション性に優れた光模様を形成することができる。
【００４１】
【発明の効果】
本発明に係る照明器具用カバーは、底壁を有する円錐台形状のカバー構成部材を組み合わせることにより、各カバー構成部材間の周壁によってすきま部分を形成したものであって、内部光源の点灯時において、このすきま部分から通過される光によって壁一面に光模様を形成することができる。又、各カバー構成部材の長さが、照明器具用カバーの厚みになるので、消灯時においても、豪華さや重厚な雰囲気を演出することもできる。従って、点灯時及び消灯時において、パーティー会場や部屋の雰囲気等の気分や状況に合わせて、興趣性やファッション性を満足させることができるという点において極めて有用に作用するものである。
【図面の簡単な説明】
【図１】図１は、この発明における筒体からなる円錐台形状のカバー構成部材について、その具体的な実施例を示すものであり、図１Ａは、カバー構成部材の概略的な斜視図であり、図１Ｂは、図１Ａにおけるカバー構成部材のＸ１−Ｘ１線に沿った概略的な断面図である。
【図２】図２は、この発明における凾体からなる円錐台形状のカバー構成部材について、その具体的な実施例を示すものであり、図２Ａは、カバー構成部材の概略的な斜視図であり、図２Ｂは、図２Ａにおけるカバー構成部材のＸ１−Ｘ１線に沿った概略的な断面図である。
【図３】図３は、この発明における柱体からなる円錐台形状のカバー構成部材について、その具体的な実施例を示すものであり、図３Ａは、カバー構成部材の概略的な斜視図であり、図３Ｂは、図３Ａにおけるカバー構成部材のＸ１−Ｘ１線に沿った概略的な断面図である。
【図４】図４は、この発明における筒体からなる円柱形状のカバー構成部材について、その具体的な実施例を示すものであり、図４Ａは、カバー構成部材の概略的な斜視図であり、図４Ｂは、図４Ａにおけるカバー構成部材のＸ２−Ｘ２線に沿った概略的な断面図である。
【図５】図５は、この発明における凾体からなる円柱形状のカバー構成部材について、その具体的な実施例を示すものであり、図５Ａは、カバー構成部材の概略的な斜視図であり、図５Ｂは、図５Ａにおけるカバー構成部材のＸ２−Ｘ２線に沿った概略的な断面図である。
【図６】図６は、この発明における柱体からなる円柱形状のカバー構成部材について、その具体的な実施例を示すものであり、図６Ａは、カバー構成部材の概略的な斜視図であり、図６Ｂは、図６Ａにおけるカバー構成部材のＸ２−Ｘ２線に沿った概略的な断面図である。
【図７】図７は、この発明における照明器具用カバーについて、筒体及び凾体からなる円錐台形状のカバー構成部材の集合体によって、天井吊り下げ式の照明器具に用いた状態による第１の具体的実施例を示すものであり、図７Ａは、前記照明器具用カバーの概略的な正面図であり、図７Ｂは、図７Ａにおける前記照明器具用カバーのＸ３−Ｘ３線に沿った概略的な断面図である。
【図８】図８は、この発明における筒体からなる六角錐台形状のカバー構成部材について、その具体的な実施例を示すものであり、図８Ａは、カバー構成部材の概略的な斜視図であり、図８Ｂは、図８Ａにおけるカバー構成部材のＹ１−Ｙ１線に沿った概略的な断面図である。
【図９】図９は、この発明における凾体からなる六角錐台形状のカバー構成部材について、その具体的な実施例を示すものであり、図９Ａは、カバー構成部材の概略的な斜視図であり、図９Ｂは、図９Ａにおけるカバー構成部材のＹ１−Ｙ１線に沿った概略的な断面図である。
【図１０】図１０は、この発明における柱体からなる五角錐台形状のカバー構成部材について、その具体的な実施例を示すものであり、図１０Ａは、カバー構成部材の概略的な斜視図であり、図１０Ｂは、図１０Ａにおけるカバー構成部材のＹ１−Ｙ１線に沿った概略的な断面図である。
【図１１】図１１は、この発明における照明器具用カバーについて、柱体からなる多角錐台形状のカバー構成部材の集合体によって、電気スタンド式の照明器具に用いた状態による第２の具体的実施例を示すものであり、図１１Ａは、前記照明器具用カバーの概略的な正面図であり、図１１Ｂは、図１１Ａにおける前記照明器具用カバーのＹ２−Ｙ２線に沿った概略的な断面図である。
【符号の説明】
Ｌ１    第１の実施例になる照明器具用カバー
Ｌ２    第２の実施例になる照明器具用カバー
Ｐ１  筒体からなる円錐台形状のカバー構成部材
Ｃ１  凾体からなる円錐台形状のカバー構成部材
Ｈ１  柱体からなる円錐台形状のカバー構成部材
Ｐ２  筒体からなる円柱形状のカバー構成部材
Ｃ２  凾体からなる円柱形状のカバー構成部材
Ｈ２  柱体からなる円柱形状のカバー構成部材
Ｐ３  筒体からなる六角錐台形状のカバー構成部材
Ｃ３  凾体からなる六角錐台形状のカバー構成部材
Ｈ３  柱体からなる五角錐台形状のカバー構成部材
ＭＬ  母線
ＳＬ  側面
ＬＡ    照明器具
φ１    円錐台形状のカバー構成部材の軸方向一端の径寸法
φ２    円錐台形状のカバー構成部材の軸方向他端の径寸法
Ａ１    多角錐台形状のカバー構成部材の底面
Ａ２    多角錐台形状のカバー構成部材の上面
【図１】
0003593495.tif 000002
【図２】
0003593495.tif 000003
【図３】
0003593495.tif 000004
【図４】
0003593495.tif 000005
【図５】
0003593495.tif 000006
【図６】
0003593495.tif 000007
【図７】
0003593495.tif 000008
【図８】
0003593495.tif 000009
【図９】
0003593495.tif 000010
【図１０】
0003593495.tif 000011
【図１１】
0003593495.tif 000012